(57)【特許請求の範囲】
【請求項１】
苗載台本体（１６ｂ）の苗載面上方に折畳み側苗載台（１６ａ）を折畳み可能に構成してなる田植機において、
苗載台本体（１６ｂ）のリブ（３８）に固定し、且つ少なくとも中央側の１条分の苗載面を跨ぎ、さらに苗載台本体（１６ｂ）に対し折畳み側苗載台（１６ａ）を同一面状に展開したときの苗載台本体（１６ｂ）のうち、折畳み側苗載台（１６ａ）との隣接縁から少なくとも１条分の苗載面より中央側にて略平行に横設する２本の本体側苗台フレーム（３９）（４０）と、  折畳み側苗載台（１６ａ）のリブ（３８）に固定し、且つ少なくとも１条分の苗載面を跨いで略平行に横設する２本の分割側苗台フレーム（４１）（４２）と、
前記２本の本体側苗台フレーム（３９）（４０）を連結する本体側回動支点フレーム（４４）と、
前記２本の分割側苗台フレーム（４１）（４２）を連結する分割側回動支点フレーム（４５）と、
前記本体側回動支点フレーム（４４）と分割側回動支点フレーム（４５）とをカム部材（４６）（４７）・（４８）（４９）を介して連結する門形状の回動フレーム（５０）（５１）とを設け、
前記本体側回動支点フレーム（４４）は、前記本体側苗台フレーム（３９）（４０）左右外側の上端部に設けられ、
前記分割側回動支点フレーム（４５）は、前記分割側苗台フレーム（４１）（４２）の左右内側の上端部に設けられていることを特徴とする田植機。
【発明の詳細な説明】
【０００１】
【発明の属する技術分野】
本発明は例えば苗載台及び植付爪を備えて連続的に苗植作業を行う田植機に関する。
【０００２】
【従来の技術】
従来、多条苗載台において、左右外側の苗載台を折畳んで左右幅を縮小させる技術がある。（例えば特許文献１参照）
【０００３】
【特許文献１】
特開平７−２４１１１３号公報
【０００４】
【発明が解決しようとする課題】
前記従来技術は、苗載台を折畳む機構を苗載台の裏面側に設けるから、裏面側構造の簡略化または組立分解などの作業性向上などを容易に行い得ないと共に、回転と摺動の操作によって苗載台を折畳む必要がある等の取扱い上の問題がある。
【０００５】
【課題を解決するための手段】
請求項１に係る発明は、苗載台本体の苗載面上方に折畳み側苗載台を折畳み可能に構成してなる田植機において、苗載台本体のリブに固定し、且つ少なくとも中央側の１条分の苗載面を跨ぎ、さらに苗載台本体に対し折畳み側苗載台を同一面状に展開したときの苗載台本体のうち、折畳み側苗載台との隣接縁から少なくとも１条分の苗載面より中央側にて略平行に横設する２本の本体側苗台フレームと、折畳み側苗載台のリブに固定し、且つ少なくとも１条分の苗載面を跨いで略平行に横設する２本の分割側苗台フレームと、前記２本の本体側苗台フレームを連結する本体側回動支点フレームと、前記２本の分割側苗台フレームを連結する分割側回動支点フレームと、前記本体側回動支点フレームと分割側回動支点フレームとをカム部材を介して連結する門形状の回動フレームとを設け、前記本体側回動支点フレームは、前記本体側苗台フレーム左右外側の上端部に設けられ、前記分割側回動支点フレームは、前記分割側苗台フレームの左右内側の上端部に設けられている。したがって、苗載台を折畳む回動フレームなどの機構を苗載面側に配置させ、苗載台の裏面側構造の簡略化または組立分解などの作業性向上などを容易に行い得ると共に、回動フレームの回転によって苗載台を折畳み得、かつ苗台フレームのリブとの連結によって苗載台の補強を行い得るものである。
【０００６】
【発明の実施の形態】
以下、本発明の実施例を図面に基づいて詳述する。図１は苗載台の折畳み状態を示す側面説明図、図２は全体の側面図、図３は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００７】
また、図中（１５）は８条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（植付アーム）（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００８】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は均平用センターフロート、（３５）は均平用サイドフロート、（３６）は８条用の側条施肥部である。
【０００９】
図４乃至図１２にも示す如く、前記苗載台（１６）は左右最外端の２条分の苗載台（１６）を分割して折畳み自在な分割台（１６ａ）に形成し、機体中央の４条用苗載台本体（１６ｂ）に並行折畳み機構（屏風折り機構）（３７）を介して分割台（１６ａ）を連結させて、苗載台本体（１６ｂ）の作用面上方に略平行に分割台（１６ａ）を折畳みするように設けている。
【００１０】
前記折畳み機構（３７）は、４条用苗載台本体（１６ｂ）のうち中央２条の苗載台本体（１６）を跨いで左右両側のリブ（３８）間上方で上下略平行に横設する門形状の本体側上下苗台フレーム（３９）（４０）と、分割台（１６ａ）の左右２条分を跨いで左右両側のリブ（３８）間上方で上下略平行に横設する門形状の分割側上下苗台フレーム（４１）（４２）と、リブ（３８）に基端を固設する本体及び分割側苗台フレーム（３９）（４０）・（４１）（４２）の各リブ（３８）位置上方で上下基端部間をそれぞれ相互に連結する上下縦フレーム（４３）（１対の苗台フレーム（３９）（４０）・（４１）（４２）に対し３本）と、本体側の上下苗台フレーム（３９）（４０）の左右外側の各上端間を連結する回動支点である左右の本体側回動支点フレーム（４４）と、分割側の上下苗台フレーム（４１）（４２）の左右内側の各上端間を連結する回動支点である左右の分割側回動支点フレーム（４５）と、前記支点フレーム（４４）（４５）間をフレーム（４４）（４５）に嵌合するカム部材である上下回転カム体（４６）（４７）・（４８）（４９）を介して連結する門形状の回動フレーム（５０）（５１）とを備え、分割台（１６ａ）の作用面を上方に臨ませた状態で苗載台本体（１６ｂ）の上方に分割台（１６ａ）を２段に折畳みするように構成している。
【００１１】
図９乃至図１２に示す如く、各苗台フレーム（３９）（４０）・（４１）（４２）は、苗載台（１６）の本体（１６ｂ）及び分割台（１６ａ）のリブ（３８）にボルト（５２）を介し取外し自在に固定する上下フレームホルダ（５３）（５４）に、セットボルト（５５）でもって着脱自在に固定させるもので、各苗台フレーム（３９）（４０）・（４１）（４２）の上下方向に固設するホルダ（５６）にボルト（５７）を介し縦フレーム（４３）の両端を取外し自在に嵌合固定するように構成している。
【００１２】
また、前記カム体（４６）（４７）・（４８）（４９）は支点フレーム（４４）（４５）側に固定する固定カム（４６ａ）（４７ａ）・（４８ａ）（４９ａ）と、該フレーム（４４）（４５）の軸方向に摺動自在な可動カム（４６ｂ）（４７ｂ）・（４８ｂ）（４９ｂ）とを備えるもので、本体及び分割側の上下苗台フレーム（３９）（４０）・（４１）（４２）に固設する上下筒軸（５８）（５９）・（６０）（６１）に各ボルト（６２）を介し支点フレーム（４４）（４５）を取外し自在に固定させ、各支点フレーム（４４）（４５）に可動カム（４６ｂ）（４７ｂ）・（４８ｂ）（４９ｂ）を摺動自在に嵌合させると共に、本体側の固定カム（４６ａ）（４７ａ）を支点フレーム（４４）と筒軸（５８）（５９）に、また分割側の固定カム（４８ａ）（４９ａ）を支点フレーム（４５）と筒軸（６０）（６１）とに一体連結させて、回動フレーム（５０）（５１）を略１８０度回動させての分割台（１６ａ）の折畳み時、各カム体（４６）（４７）・（４８）（４９）のカム凸面を相互に接触させて、上下カム体（４６）（４７）・（４８）（４９）の作用長さだけ分割台（１６ａ）を上方に移動させて、この苗載台（１６）の後方に薬剤散布機など他の作業機装備させた場合にも分割台（１６ａ）とこれら作業機との干渉を防止するように構成している。
【００１３】
また、分割側の支点フレーム（４５）は苗載台（１６）の底面に対し上端側の間隔を小とさせる一定角度（α）の傾斜を有して、分割台（１６ａ）の折畳み時にこの後方に装備する作業機とのスペースを充分に確保すると共に、分割台（１６ａ）の折畳み時の左右全横幅を、植付駆動系である左右最外側の爪ケース（植付アーム）（２２）間の横幅より少なくとも１条（３０ｃｍ）つまり左右でそれぞれ半条（１５ｃｍ）以上短く形成し、折畳んだ状態でも左右最外側の爪ケース（２２）間で苗載台（１６）の横送りを可能に、また左右最外側の爪ケース（２２）より内側の何れの横送り位置でも折畳みを可能とさせるように構成している。
【００１４】
また、苗載台本体（１６ｂ）のリブ（３８）上方に本体側苗台フレーム（３９）（４０）を立設させ、折畳み側苗載台である分割台（１６ａ）のリブ（３８）上方に折畳み側苗台フレーム（４１）（４２）を立設させ、苗載台（１６）の苗載面よりも高位置で本体側苗台フレーム（３９）（４０）と折畳み側苗台フレーム（４１）（４２）を回動フレーム（５０）（５１）によって連結させる。そして、苗載台（１６）を折畳む回動フレーム（５０）（５１）などの機構を苗載面側に配置させ、苗載台（１６）の裏面側構造の簡略化または組立分解などの作業性向上などを行うと共に、回動フレーム（５０）（５１）の回転によって苗載台（１６）を折畳み、かつ苗台フレーム（３９）〜（４２）のリブ（３８）との連結によって苗載台（１６）の補強を行う。
【００１５】
さらに、苗マット押え（６３）を苗載台（１６）に備えるもので、苗載台（１６）の２条毎に１組とし、１条の苗載台（１６）の左右リブ（３８）間に２本の苗押え棒（６４）を配置させ、苗台フレーム（４２）など苗載台（１６）に固設する押えホルダ（６５）に回動支点（６６ａ）を介し基端ロッド（６６）を上下位置調節自在に保持すると共に、苗押え棒（６４）先端の横軸（６７）の略中央を、この２条毎苗載台（１６）中央のリブ上に配置する縦フレーム（４３）のロック板（６８）に係合させて、１つの苗マット押え（６３）に対し１箇所のロックでこの取付保持を図るように構成している。
【００１６】
図１９乃至図２１に示す如く、前記分割台（１６ａ）の折畳み時にあっては、前記下部レール（１８）を嵌合する下部案内レールである苗取出板（６９）の左右最外側部及び左右サイドバンパ（７０）も折畳み可能に設けたもので、植付作業時植付部（１５）を畔などから保護するサイドバンパ（７０）を先端に固着するバンパフレーム（７１）基端を、左右最外側の植付ケース（２０）外側に固設するパイプフレーム（７２）に略９０度上方向に取付金具（７３）及び支点軸（７４ａ）及び位置決めピン（７４ｂ）を介して折畳み可能に連結させている。
【００１７】
また、前記苗取出板（６９）の左右両端部の一定長さを分割して分割取出体（６９ａ）に形成し、該取出体（６９ａ）のブラケット（７５）を中央の取出板本体（６９ｂ）側のブラケット（７６）に折畳み支点軸（７７）を介して略９０度内側に折畳み可能に連結させ、折畳みされるバンパフレーム（７１）の外側にこの取出板（６９ａ）を折畳みするように構成している。
【００１８】
そして前記苗載台（１６）の折畳みされる分割台（１６ａ）に対し、苗取出板（６９）及びサイドフレーム（７０）を左右でそれぞれ略半条（略１５ｃｍ）以上折畳み長さを小さく形成して、分割取出体（６９ａ）及びサイドフレーム（７０）を折畳んだときにも、これら左右の取出し体（６９ａ）及びサイドフレーム（７０）間で折畳みした苗載台（１６）を干渉させることなく移動可能とせるように構成している。つまり苗載台（１６）の左右何れの移動位置における折畳みにあっても、苗取出板（６９）及びサイドフレーム（７０）の干渉のない折畳みを可能とさせることができるもので、折畳み作業の都度苗載台（１６）を中央に寄せる作業の煩わしさ、このための安全スイッチの設置の必要もなく、常に折畳みされた左右の苗取出板（６９）及びサイドフレーム（７０）間に安全に保護されるものである。
【００１９】
さらに、前記バンパフレーム（７１）の先端部に支点軸（７８）及びマーカ取付板（７９）を介して左右の筋引マーカ（８０）の基端を起伏自在に支持して、前記バンパフレーム（７１）の折畳み収納時にあっては、前記マーカ（８０）のマーカワイヤ（８１）を引張り操作することによって、該マーカ（８０）を後方などにはみ出させることなく苗載台（１６）の側方に沿う状態に収納保持するように構成している。
【００２０】
ところで図１３及び図１４にも示す如く、上部の回動フレーム（５０）の左右フレーム（５０ａ）（５０ｂ）のうち、右フレーム（５０ｂ）に固設する支軸（８２）にフック（８３）を回動自在に取付けていて、左右両端の分割台（１６ａ）の折畳み時には左フレーム（５０ａ）に右フレーム（５９ｂ）のフック（８３）を係合させて、機体の左右略中央で左右分割台（１６ａ）の相互を単一のフック（８３）でもって直接的に固定させて、これら分割台（１６ａ）の折畳み位置での保持を図るもので、作業者は苗載台（１６）の略中央１箇所位置で左右分割台（１６ａ）の折畳み時の固定と拡張時の固定解除を可能にできて、作業性を向上させることができると共に、固定のための機構も部品数の少ない簡潔なものとさせることができて、コストダウンも図れて経済的なものである。
【００２１】
また、前記回動フレーム（５０）（５１）の両端を固定させる可動カム（４６ｂ）（４７ｂ）・（４８ｂ）（４９ｂ）に対し、回動フレームの回動支点近傍部となる両端取付部（５０ｃ）（５１ｃ）は前後方向に巾広で左右方向に巾狭の偏平細身形状に形成していて、苗縦送りなどにおける苗の引掛りを防止すると共に、左右方向の溶接代など増大させ可能とさせてこの連結強度を向上させるように構成している。
【００２２】
また、上下の回動フレーム（５０）（５１）の長さは略１条の長さ（略３０ｃｍ）とし、分割台（１６ａ）の折畳み時には、左右それぞれで略２条分内側に移動する状態に設けると共に、回動フレーム（５０）（５１）を苗載台（１６）の作用面上方に設けて、施肥ホースなどの干渉を回避させて、苗載台（１６）の剛性を向上させるものである。
【００２３】
さらに前記回動アーム（５０）（５１）は苗マット押え（６３）と干渉することなく上下に配設されると共に、回動アーム（５０）（５１）の門形形状によって苗が引っ掛からない高さを確保し、苗マットのガードともなって苗を保護（苗載台（１６）に苗を載せたままでもシートカバーをかぶせることが可能）するものである。
【００２４】
またさらに、前記回動フレーム（５０）（５１）を連結する支点フレーム（４４）（４５）は他の縦フレーム（４５）などより高強度のものを用いてこれらフレーム全体の強度バランスを向上させると共に、苗載台（１６）に底面に対し本体側の支点フレーム（４４）を高位置に、分割側の支点フレーム（４５）を低位置に設けて、分割台（１６ａ）の折畳みや、分割台（１６ａ）及び取出体（６９ａ）合体時の位置合わせ作業などの操作性を向上させるものである。
【００２５】
また、上下の苗台フレーム（３９）（４０）・（４１）（４２）を剛性の高いガイドレール（１９）及び下部レール（１８）上にボルト（５２）を介し取付けて、この取付強度を向上させると共に、これら苗台フレーム（３９）（４０）間を連結する縦フレーム（４３）や支点フレーム（４４）（４５）をリブ（３８）上でリブ（３８）に沿う状態に設けて、苗との干渉を良好に防止するものである。
【００２６】
さらに図７に示す如く、苗載台（１６）に横設する各レール（１８）（１９）と、苗載台（１６）の各リブ（３８）位置裏面に配設する縦フレーム（８４）とをそれぞれ連結して、剛性の高いフレーム構造に形成し、また縦フレーム（８４）で分割台（１６ａ）を分割して、縦フレーム（８４）に継ぎ目を形成してこの剛性を向上させると共に、各レール（１８）（１９）と縦フレーム（８４）の交点部に各苗台フレーム（３９）（４０）・（４１）（４２）の基端部を取付固定させて、折畳み構造の強度を向上させるものである。
【００２７】
なお（８５）は前記ガイドレール（１９）に嵌合させて苗載台（１６）の上部を左右摺動自在に支持する苗台支持シュー、（８６）は苗載台（１６）の１条毎に２つ並設する苗縦送り体である。
【００２８】
図８に示す如く、前記苗台支持シュー（８５）は、苗載台（１６）の本体（１６ｂ）側に２つ、また左右の分割台（１６ａ）側にそれぞれ１つ配設し、前記支持フレーム（２４）にローリング自在に連結させる植付ケース（２０）の左右立設支柱（８７）に、Ｕ形状の支持体（８８）を解し本体（１６）側の２つの支持シュー（８５ａ）を固定支持させると共に、分割台（１６ａ）側の左右各１つの支持シュー（８５ｂ）を左右支柱（８７）先端に折畳み自在に連結支持させている。
【００２９】
前記支持体（８８）は、左右支柱（８７）間を連結する連杆（８９）に基端を固定させ、支持体（８８）の水平部両側に調節ボルト（９０）を介し取付高さ調節自在に本体支持シュー（８５ａ）を固定させている。また、ローリング制御用の油圧シリンダ（９１）のピストンロッド（９２）両側を前記連杆（８９）に連結させ、シリンダ（９１）操作によってピストンロッド（９２）を左右に移動させるときローリング支点軸（２３）を中心として植付部（１５）を左右に傾動させて、植付部（１５）の水平維持を図るもので、油圧シリンダ（９１）やこのシリンダ（９１）の切換弁（９３）などローリング制御用の油圧装置を、支持体（８８）のＵ形状内側に配設して、支持体（８８）でシリンダ（９１）及び切換弁（９３）など油圧装置を保護して、これらの寿命を延命化させるように構成している。
【００３０】
一方、分割台（１６ａ）側の支持シュー（８５ｂ）は、左右支柱（８７）上端に固設する固定台（９４）に回動板（９５）を介し下方に略９０度折畳み可能に支持させて、前記分割台（１６ａ）の折畳み時には回動板（９５）に設けるハンドル（９６）操作によってこの支持シュー（８５ｂ）も折畳んで左右全巾を縮小させるように構成している。
【００３１】
前記上下フレームホルダ（５３）（５４）は各苗台フレーム（３９）（４０）・（４１）（４２）とは別体とし、各リブ（３８）を貫通するボス（９７）を有して苗載台（１６）裏側の各レール（１９）（１８）と連結させることによって、各苗台フレーム（３９）（４０）・（４１）（４２）を苗載台（１６）に取付時の寸法誤差などを吸収してこじれ等の応力を低減させると共に、ボス（９７）による苗との干渉を防止しながら苗載台（１６）右側のフレーム（３９）（４０）・（４１）（４２）などと裏側のレール（１９）（１８）を一体的なものとさせて、その取付精度と強度の向上を図るように構成したものである。
【００３２】
図７、図１５乃至図１８に示す如く、前記分割台（１６ａ）を使用状態に拡張時に、本体（１６ｂ）との位置決め及び固定の両方を行うロック操作レバー（９８）を左右分割台（１６ａ）の最外側で上下レール（１９）（１８）位置の２箇所にそれぞれ設けるもので、前記レバー（９８）は回動枢支軸（９９）を介し、分割台（１６ａ）裏面のガイド体（１００）に左右摺動自在に案内されるスライド軸（１０１）に連結させ、本体（１６ｂ）裏面に固設する位置決め案内部材（１０２）に前記スライド軸（１０１）先端の位置決め部材であるガイド軸部（１０１ａ）を挿入させるように構成している。
【００３３】
前記案内部材（１０２）は上部ガイドレール（１９）と本体（１６ｂ）間に介設され、円形の貫通孔部（１０３ａ）と、貫通孔（１０３）の円形対向面に形成する一対の長溝部（１０３ｂ）とからなる軸係合孔（１０３）を有し、また前記スライド軸（１０１）はガイド軸部（１０１ａ）に隣接して前記長溝（１０３ｂ）に係合する位置固定部材である平板部（１０１ｂ）を有し、これら長溝部（１０３ｂ）と平板部（１０１ｂ）とを係合させることによって、平板部（１０１ｂ）を案内部材（１０２）の反対側に挿通可能とさせるように設けている。
【００３４】
また前記操作レバー（９８）の基端をカム部（９８ａ）に設けていて、該レバー（９８）の固定操作時には分割台（１６ａ）に固定するレバー保持部材（１０４）に、該カム部（９８ａ）を係合保持させるように設ける一方、係止部材（１０４）に接触するカム部（９８ａ）の下部外周面をカム面（９８ｂ）に形成して、枢支軸（９９）とカム面（９８ｂ）間の最大距離（ａ）と最小距離（ｂ）の差（ａ−ｂ）分、レバー（９８）操作でもってスライド軸（１０１）を後退可能とさせるように設けている。そして分割台（１６ａ）の拡張時にあっては前記貫通孔部（１０３ａ）とガイド軸部（１０１ａ）とを係合させることによって分割台（１６ａ）の位置決めを行い、次にレバー（９８）を軸（１０１）回りに回動して長溝部（１０３ａ）と平板部（１０１ｂ）とを合致させ、レバー（９８）の傾倒押し込み操作で平板部（１０１ｂ）を案内部材（１０２）の反対側に突出させる状態のとき、長溝部（１０３ｂ）に対し平板部（１０１ｂ）を略９０度回転させて平板部（１０１ｂ）の後面と案内部材（１０２）の反対側面（１０２ａ）とを干渉状態とさせ、その後レバー（９８）を傾倒姿勢より立設姿勢に操作するときカム面（９８ｂ）のカム作用でもって、本体（１６ｂ）側に分割台（１６ａ）を押着させてその位置固定を図るように構成している。
【００３５】
このように前記分割台（１６ａ）の使用拡張時には、単一のレバー（９８）操作によって、位置決めと固定の両方が行えて、これらをそれぞれ別個に備える構造に比べて、構造簡単で操作性にも極めて秀れるものである。
【００３６】
なお前記分割台（１６ａ）の使用拡張時にあっては、分割台（１６ａ）の中間部と下端部の位置合わせを前記スライド軸（１０１）のガイド軸部（１０１ａ）で行う以外に、分割台（１６ａ）の上端部で本体（１６ｂ）の上部側面に突出させる位置決めピン（１０５）と分割台（１６ａ）側のピン孔との係合によって位置合わせを行うものである。
【００３７】
ところで図１にも示す如く、前記植付ケース（２０）の後端にバンパー（１０６）を取外し自在に固定させていて、機体最後端となる該バンパー（１０６）より折畳みした分割台（１６ａ）の下部最後端を一定寸法（Ｔ）前方に位置させるように設けて、分割台（１６ａ）を折畳んだ状態においても、機体全長が長くなるのを防止し前後バランスを良好に保って、この田植機の移動や輸送時での安定性を確保すると共に、屋内などに収納時の収納スペースの縮小化を図るように構成している。
【００３８】
また、前記苗載台（１６）の上端に基端を取付けて先端を上方に延設させる延長苗台（１０７）は、各分割台（１６ａ）及び本体（１６ｂ）にボルト（１０８）を介し突出長さ調節自在に取付けて、分割台（１６ａ）の折畳み時施肥部（３６）の施肥ホッパ（１０９）の最上端面より下方（図４のライン（Ｌ）より下方位置）に位置させる状態に延長苗台（１７）を下動調節することによって、この田植機を運搬車に搭載させての輸送時などには全高を最低限に抑えて車への搭載も可能とすると共に、シートカバーを機体にかぶせての保管時には延長苗台を損傷から防止するように構成したものである。
【００３９】
図２２に示すものは、ロータリケース（２１）を備える植付ケース（２０）間の伝動ケース（１１０）を間隔巾調節自在な内ケース（１１０ａ）及び外ケース（１１０ｂ）に形成して、これら内外ケース（１１０ａ）（１１０ｂ）を摺動自在に嵌合させると共に、これら内外ケース（１１０ａ）（１１０ｂ）に内挿させる植付爪駆動軸（１１１）も分割してスプライン嵌合する２つの伸縮軸（１１１ａ）（１１１ｂ）に形成して、苗載台（１６）の折畳み時には植付ケース（２０）の左右全幅も縮小させることによって、同一の本機（８条植え）で水稲以外の作物（いぐさ等）に対応（例えば３３ｃｍ仕様以上など３０ｃｍ条間以外の作物）可能とさせて輸送時などでその取外しを不要とさせる他、１０条以上の超多条植え用に対応可能とさせるように構成したものである。
【００４０】
なおこの場合、苗載台（１６）折畳み位置となる左右両側の植付ケース（２０）のみ摺動可能に設けて、左右両側のケース間隔巾のみを縮小させる構成を示したが、全植付ケース（２０）のケース間隔巾を均等に縮小させる構成でも良い。
【００４１】
さらに図２３及び図２４に示すものは、本機に側条施肥部（３６）の施肥ホッパ（１０９）を装備させるミッドマウント式構造にあって、前記ホッパ（１０９）を運転席（１３）下方に配置し、運転席（１３）の背もたれ部（１３ａ）を回動支点（１１２）を中心として前方向に回動自在な可倒式に形成し、運転席（１３）の左右全巾をホッパ（１０９）の左右全巾と略同一とする横長のベンチシートに形成し、該運転席（１３）でもってホッパ（１０９）の上部保護カバーも兼用させるもので、田植機の全長を短くし、苗継ぎや後方視界を良好とさせ、また前記ホッパ（１０９）は運転席（１３）下方の余剰空間を有効利用して容量を拡大させ、さらに背もたれ部（１３ａ）の折畳みによって田植機の全高を短く抑えて２段車に積載可能とさせるなどして輸送を至便とさせ、またさらにベンチ式の運転席（１３）によって複数の乗車も可能に構成したものである。
【００４２】
【発明の効果】
以上実施例から明らかなように、請求項１に係る発明は、苗載台本体（１６ｂ）の苗載面上方に折畳み側苗載台（１６ａ）を折畳み可能に構成してなる田植機において、苗載台本体（１６ｂ）のリブ（３８）に固定し、且つ少なくとも中央側の１条分の苗載面を跨ぎ、さらに苗載台本体（１６ｂ）に対し折畳み側苗載台（１６ａ）を同一面状に展開したときの苗載台本体（１６ｂ）のうち、折畳み側苗載台（１６ａ）との隣接縁から少なくとも１条分の苗載面より中央側にて略平行に横設する２本の本体側苗台フレーム（３９）（４０）と、折畳み側苗載台（１６ａ）のリブ（３８）に固定し、且つ少なくとも１条分の苗載面を跨いで略平行に横設する２本の分割側苗台フレーム（４１）（４２）と、前記２本の本体側苗台フレーム（３９）（４０）を連結する本体側回動支点フレーム（４４）と、前記２本の分割側苗台フレーム（４１）（４２）を連結する分割側回動支点フレーム（４５）と、前記本体側回動支点フレーム（４４）と分割側回動支点フレーム（４５）とをカム部材（４６）（４７）・（４８）（４９）を介して連結する門形状の回動フレーム（５０）（５１）とを設け、前記本体側回動支点フレーム（４４）は、前記本体側苗台フレーム（３９）（４０）左右外側の上端部に設けられ、前記分割側回動支点フレーム（４５）は、前記分割側苗台フレーム（４１）（４２）の左右内側の上端部に設けられている。したがって、苗載台（１６）を折畳む回動フレーム（５０）（５１）などの機構を苗載面側に配置させ、苗載台（１６）の裏面側構造の簡略化または組立分解などの作業性向上などを容易に行うことができると共に、回動フレーム（５０）（５１）の回転によって苗載台（１６）を折畳むことができ、かつ苗台フレーム（３９）〜（４２）のリブ（３８）との連結によって苗載台（１６）の補強を行うことができるものである。
【図面の簡単な説明】
【図１】苗載台の折畳み状態を示す側面説明図である。
【図２】田植機の全体側面図である。
【図３】田植機の全体平面図である。
【図４】植付部の側面説明図である。
【図５】苗載台の折畳み状態を示す説明図である。
【図６】苗載台の折畳み固定状態を示す説明図である。
【図７】苗載台の背面説明図である。
【図８】苗台支持シューの取付説明図である。
【図９】折畳み機構の側面図である。
【図１０】折畳み機構の下部側面説明図である。
【図１１】折畳み機構の上部側面説明図である。
【図１２】苗載台の折畳みを示す説明図である。
【図１３】折畳み苗載台の折畳み固定部の正面説明図である。
【図１４】折畳み苗載台の折畳み固定部の底面説明図である。
【図１５】苗載台の拡張固定部の説明図である。
【図１６】操作レバー部の説明図である。
【図１７】スライド軸と係合孔の関係を示す説明図である。
【図１８】位置決め用案内部材の説明図である。
【図１９】植付ケース部の平面説明図である。
【図２０】苗取出し板の折畳み状態を示す正面説明図である。
【図２１】苗取出し板の折畳み状態を示す平面説明図である。
【図２２】植付ケース部の左右全巾の縮小説明図である。
【図２３】運転席下位置に配設する施肥ホッパの背面説明図である。
【図２４】運転席下位置に配設する施肥ホッパの側面説明図である。
【符号の説明】
（１６ａ）  折畳み側苗載台
（１６ｂ）  苗載台本体
（３８）  リブ
（３９）（４０）  本体側苗台フレーム
（４１）（４２）  折畳み側苗台フレーム
（４４）  本体側回動支点フレーム
（４５）  分割側回動支点フレーム
（４６）（５７）  カム体（カム部材）
（４８）（４９）  カム体（カム部材）
（５０）（５１）  回動フレーム
【図１】
0003640073.tif 000002
【図２】
0003640073.tif 000003
【図３】
0003640073.tif 000004
【図４】
0003640073.tif 000005
【図５】
0003640073.tif 000006
【図６】
0003640073.tif 000007
【図７】
0003640073.tif 000008
【図８】
0003640073.tif 000009
【図９】
0003640073.tif 000010
【図１０】
0003640073.tif 000011
【図１１】
0003640073.tif 000012
【図１２】
0003640073.tif 000013
【図１３】
0003640073.tif 000014
【図１４】
0003640073.tif 000015
【図１５】
0003640073.tif 000016
【図１６】
0003640073.tif 000017
【図１７】
0003640073.tif 000018
【図１８】
0003640073.tif 000019
【図１９】
0003640073.tif 000020
【図２０】
0003640073.tif 000021
【図２１】
0003640073.tif 000022
【図２２】
0003640073.tif 000023
【図２３】
0003640073.tif 000024
【図２４】
0003640073.tif 000025